【事件の表示】
　平成　７年特許願第　５３３１８号「パチンコ機」拒絶査定不服審判事件〔平成　８年　８月２７日出願公開、特開平　８−２１５３９３〕について、次のとおり審決する。
【結　論】
　本件審判の請求は、成り立たない。
【理　由】
１． 手続きの経緯
　本願は、平成７年２月１７日の出願であって、平成１１年１２月２７日付けで手続補正がなされ、平成１３年７月１９日付けで拒絶の理由が通知され、平成１３年８月２７日付けで手続補正がなされ、平成１３年１０月１２日付けで拒絶査定がなされ、平成１３年１１月５日付けで審判請求がなされるとともに、同日付で手続補正がなされたものである。
　　
２．平成１３年１１月５日付けの手続補正（以下、「本件補正」という。）について
　本件補正は、発明の詳細な説明において、作用（【０００６】）及び効果（【００１６】）に関して、「し、遊技盤に空き場所ができてスピーカ等の取付けができる。」という記載を付け加えるものであって、明瞭でない記載の釈明と認められ、特許法第１７条の２第４項第４号に規定される事項を目的とするものである。
　したがって、本件補正は、特許法第１７条の２第４項の規定に適合する。
　　
３．本願発明
　平成１３年１１月５日付けの手続補正は、上記のとおり平成１５年改正前特許法第１７条の２第４項の規定に適合しているので、本願の請求項１に係る発明は、平成１１年１２月２７日付け手続補正書、平成１３年８月２７日付け手続補正書、平成１３年１１月５日付け手続補正書により補正された明細書の記載からみて、特許請求の範囲の請求項１に記載された次のとおりのものである（以下、「本願発明」という。）。
　　　
　　　
「【請求項１】　遊技部の周縁に外レールと内レールが取り付けてある遊技盤の表側に開閉扉を取り付けのパチンコ機であって、
　前記開閉扉の表側には、外レールの外側で、且つ前記遊技盤の前方に飾り部材が取り付けてあると共に、
前記開閉扉に付設の外透明体と内透明体の間で形成の空間部に、前記遊技部に沿って内挿部材を装着することを特徴とするパチンコ機。」
　　　
　　　
４．引用例
（１）引用例
　原査定の拒絶の理由に引用された実願昭６０−６５１５０号（実開昭６１−１８２７８４号）のマイクロフィルム（以下「引用例」という）には、図面とともに以下の記載がある。
　　　　
　　　　
（記載事項ａ）
「中央部に窓を開設した前面板の周縁から後方に枠板を延設し筐形に形成した装着枠本体の上記窓に外ガラス板を嵌付けると共にこの外ガラス板の背後に所要奥行き幅を有した透明若しくは半透明の飾り枠を固定し、この飾り枠を介して内ガラス板を固定し上記外ガラス板と対説せしめる一方、上記飾り枠の背後に照明ランプを配設してなることを特徴としたパチンコ機のガラス装着枠。」（実用新案登録請求の範囲）
　　　
　　　
（記載事項ｂ）
「本考案はこの様な点に鑑み、従来主として遊技板に配置されていた様な表示ランプ類をガラス枠となる装着枠に組込み、遊技板の交換によって排棄されることなく継続して使用が可能であると共に、遊技板のパチンコ球誘導レールに囲まれる遊技部を中心に露出させて遊技者のゲームに対する集中を容易にした改良されたパチンコ機のガラス装着枠を提供することにある。
［問題を解決するための手段］
　即ち、本考案はガラス板を装着する枠体の前面板の中央部に窓を開設し、この窓に外ガラス板を嵌付け塞ざすと共に、この外ガラス板の背面に窓の形状に適合させた所要の奥行き幅を有する透明若しくは半透明の飾り枠を設け、この飾り枠を介して内ガラス板を上記外ガラス板に対向するよう固定して両者の間に所要の間隔を設定する一方、上記飾り枠の背後に照明用或は表示用のランプを配置して遊技板面を照明する外、例えば入賞球が飛入したときや、球切れを生じたとき点灯させてこれを表示するようにしたことを特徴とするパチンコ機のガラス装着枠を提供することにある。
　このガラス装着枠は前記従来のガラス枠と同様に一側縁を開閉自由に蝶着し、常態における閉塞時には内ガラス板を遊技板の前に近接させて遊技部を被い、且つ飾り枠でこの遊技部を囲み、遊技板周縁部を実質的に被い隠すものとなっており、これにより遊技者の視界をこの飾り枠で囲んだ遊技部に集中させるものとなっている。」（第３頁第６行〜第４頁第１５行）
　　
（記載事項ｃ）
「以下、本考案を図示の実施例につき説明し、併せて本考案のその他の特徴を詳述することにする。
　第１図は本考案に係るパチンコ機の正面図、第２図は上図のII−II線に沿った縦断側面図である。図面の符合１はパチンコ機の外形を構成する機枠体、２はこの機枠体の一側に図示しない蝶番を介して開閉自由に蝶着した扉枠、３は扉枠に開設する開口部４に一側を蝶着して開閉自由に取付けたガラス装着枠、５はこのガラス装着枠の下方に同じく図示しない蝶番を介して開閉自由に取付けた前枠板である。
　ここに示した機枠体１、扉枠２、そして前枠板５は従来のパチンコ機におけるものと同じものであり、ガラス装着枠３は後に詳述するように本考案において独自に構成されている。
　上記機枠体１は縦長長方形状に枠組構成されており、これの前面一側縁に蝶着される扉枠２は中央部に大きな開口部４を設けて額縁形に形成され、この額縁の背面に金属板で成形した筺形の機構枠体６が固定され、開口部４に向けて開放した内部には遊技板７が収められている。
　８は上記遊技板７を受けるため機構枠体内部に固定した受台で、この受台の前面には発射球を遊技板前面の遊技部に誘導する発射レール９、ファール球誘導通路１０等が付設され、また、この遊技板を収める機構枠体６の背面には賞球を貯留するタンクを始めとして賞球を放出する賞球装置、セーフ球を受けるセーフ球誘導室、セーフ球を検出し上記賞球装置に開放の動作をなさしめるセーフ球検出装置等の諸種のパチンコ機に必要な装置類１１が装備される。
　１２は下部前面に取付けた下部賞球受皿で、この下部前面には打球発射用の操作グリップ１３、背面には球を打出す発射杵を備えたモータ１４等が装備される。
　前枠板５は前面に上部賞球受皿１５を備え、背面にはこの受皿から送られる球を前記発射杵の先端に一個づつ送り込む打球供給装置が設備される。
　さて、ガラス装着枠３は前面板３ａを主体にして内外２枚のガラス板１６，１７と、このガラス板を前後に隔てる飾り枠１８から構成されるもので、この実施例では前面板３ａを略正方形状にして上部が手前に傾く前傾状態にすると共に、その四辺から後方に向けて枠板３ｂを廷設し略筺形をなすよう形成してある。
　この筺形のガラス装着枠３は前面板３ａの中央部に円形の窓１９を開設し、この窓の背後から外ガラス板１７を添わせ、クリップ２０で固定して塞ぎ、またこの外ガラスの背後に飾り枠１８を介して内ガラス板１６を対設させてある。
　飾り枠１８は半透明の合成樹脂製の枠にしてこの実施例では窓１９の形状に合せた円形で、しかも前方に向けて拡径するテーパー状をなす筒形に形成してある。そして、更に上部が深く、下部が浅い円筒形にして後縁部が一つの垂直面に揃うようにしてあり、この後縁部に前記内ガラス板１６を添わせて固定してある。
　この飾り枠１８は前面板３ａの周囲から延設する枠板３ｂより更に後方に突き出すように設けてあり、ガラス装着枠が閉じられたとき、扉枠１の開口部４の内側に入り込めるようにしてその後部縁に添わせた内ガラス板１６が遊技板７の前面に植設する図示しない障害釘、入賞装置類及び発射誘導レール２１等に近接して臨めるようにしてある。
　ところで、このガラス装着枠に組込まれる飾り枠１８は実質的に遊技板７の発射誘導レール２１によって囲まれる前面部分、即ち遊技部２２を囲み、視覚上遊技板の周縁部を劃するものであって、これよりこの遊技部２２を囲み込むに足りる大きさの筒形に形成し、またこれに応じて前面板３ａに設けられる窓１９はこの飾り枠の前縁に沿った大きさに開設される。
　図中２３は上記ガラス装着枠３が取付けられる扉枠２の前面左右に縦に配置固定した補助枠で、２４は窓１９の周囲に沿って多数連設した表示ランプ、２５は照明ランプである。
　補助枠２３は扉枠２の前面に突出すように設けられるガラス装着枠３に合せて一体感を出すため設けた飾り材で、前面板３aの前傾に合せて傾斜面に形成し、実質的には一方の補助枠を足場にガラス装着枠の一側縁を蝶着し、開閉自由に取付けることになる。
　上記表示ランプ２４の列は入賞を表示するランプ、貯留タンクの球切れを表示するランプ，遊技中を表示するランプ等であって多数連設される一部をこれら表示のためのランプに割当てており、例えば窓１９の左右のランプの列を入賞表示のためのランプに、上部のランプの列を球切れ表示或は遊技完了表示のランプとして割当てることによって従来遊技板の周縁部に設けた表示ランプに替るものとなる。
　なお、上記ランプのうち例えば入賞ランプを赤、球切れ表示のランプを黄の様に色分けると一層明瞭となり有効である。
　照明ランプ２５は半透明素材で形成した飾り枠１８の背後に設けるもので、ここでは飾り枠１８に沿って複数個配置してその点灯がこの飾り枠を通して視覚できるようにしてある。
　この照明ランプは飾り枠に囲まれた奥に位置する遊技板を照すものであるが、点灯することによって装飾効果を上げる一方、更には点滅させることによって表示手段として利用することもできるものとなっている。
　即ち、本実施例ではランプによる表示手段として前記表示ランプ２４を設けたが、例えば入賞表示ランプとしてこの照明ランプ２５を代用し、入賞球の飛入があったとき点滅させるようにすると効果的に表示することができる。
　勿論この場合、飾り枠に沿って設ける全部のランプを点滅させても、或は一部を点滅させてもよく、その選択は設計者に委ねられることは言うまでもない。
　また、これに併せて飾り枠を着色半透明板にすると更に効果的であることは説明することもないであろう。」（第４頁第１７行〜第１０頁第１４行）
　　　
（記載事項ｄ）
「以上説明の様に本考案は構成されるもので、遊技中においては遊技部だけが覗かれ、しかもこの遊技部は奥行きを有した飾り枠を通して覗かれることから、遊技者は視界を自動的に限られることになり、遊技に集中することができ、また飾り枠を通してその奥に位置する遊技板を覗くことから従来のパチンコ機に比較して立体的になり遊技の楽しみを増加させる。」（第１０頁第１６行〜第１１頁第３行）
　　　　
　第３図の記載から、発射誘導レール２１は、外レールと内レールから構成されていることは明らかである。
　　　　
これらの記載によれば、引用例には、次の発明（以下、「引用発明」という。）が記載されていると認められる。
　　　　
「遊技部２２の周縁に外レールと内レールが取り付けてある遊技板７の表側にガラス装着枠３を取り付けのパチンコ機であって、
　前記ガラス装着枠の内部には、前記外レールの外側で、且つ前記遊技板７の前方に表示ランプ２４が取り付けてあると共に、
前記ガラス装着枠３に付設の外ガラス板１７と内ガラス板１６の間で形成の空間部に、遊技部に沿って遊技板７の周縁部を実質的に被い隠す半透明素材で形成した飾り枠１８を装着するパチンコ機。」
　　　
　　　
（２）対比
　本願発明と引用発明とを比較すると、引用発明のａ「遊技部２２」、ｂ「遊技板７」、ｃ「ガラス装着枠３」、ｄ「表示ランプ２４」、ｅ「外ガラス板１７」、ｆ「内ガラス板１６」は、それぞれ、本願発明のａ「遊技部」、ｂ「遊技盤」、ｃ「開閉扉」、ｄ「飾り部材」、ｅ「外透明体」、ｆ「内透明体」に相当する。
　　　
　本願発明における「内挿部材」は、その語義自体は明確であるから、外透明体と内透明体の間で形成の空間部に遊技部に沿って内挿された部材であれば何でも該当する。
また、本願の発明の詳細な説明の記載（段落【００１２】）には、「前記外透明体３３ａと内透明体３３ｂの間には空間が形成され、パチンコ機の表側から、その空間部内が見えることによる美観減少防止を図るため、遊技部２０（外レール２２ａの内側）に沿って、空間部にプラスチック等の内挿部材４０を装着し、この内挿部材４０は、遊技盤２０に描かれた模様と違和感がない色彩（模様）のものを選択することが好ましい。」と記載されており、この記載に基づけば、本願発明における「内挿部材」とは、外透明体と内透明体の間で形成の空間部に、遊技部に沿って内挿された目隠しの作用を有する部材を意味していると解釈される。
いずれにしても、引用発明における「飾り枠１８」は、外透明体と内透明体の間で形成の空間部に遊技部に沿って内挿され、遊技盤の周縁部を実質的に被い隠す作用を有する部材であるから、本願発明における「内挿部材」に相当する。
　　　　
　　　　
　よって、両者は、
　　　　
　「遊技部の周縁に外レールと内レールが取り付けてある遊技盤の表側に開閉扉を取り付けのパチンコ機であって、
　前記開閉扉には、前記外レールの外側で、且つ前記遊技盤の前方に飾り部材が取り付けてあると共に、
前記開閉扉に付設の外透明体と内透明体の間で形成の空間部に、前記遊技部に沿って内挿部材を装着するパチンコ機。」
　　　　　　
である点で一致し、以下の点で相違する。
　　　　　　
　　　　　　
相違点
　開閉扉に取り付けられた飾り部材が、本願発明では、開閉扉の表側に設けられているのに対し、引用発明では、開閉扉の内部に取り付けられており、開閉扉の表側に取り付けられていない点。
　　　　　
　　　　　
（３）判断
　上記相違点について検討する。
　開閉扉の内部に飾り部材を取り付けるよりも、開閉扉の表側に飾り部材を取り付ければ視認性が向上することは当然であって、視認性の向上のために、飾り部材を取り付ける場所を開閉扉の内部から表側に変更することは、当業者が適宜なし得る設計的事項（例えば、特開平６−１９８０５６号公報参照。）にすぎない。よって、引用発明において、飾り部材を取り付ける場所を、開閉扉の内部から表側に変更して相違点に係る本願発明のように構成することは、当業者が容易に想到できるものである。
　　　　　
　　　　　
（４）本願発明の作用効果について
　本願発明の奏する効果は、引用発明から当業者が容易に予測し得るものであって、格別顕著なものではない。
　　　　　
　　　　　
（５）むすび
　以上のとおり、本願発明は、引用例記載の発明に基づいて当業者が容易に発明をすることができたものであるから、特許法第２９条第２項の規定により特許を受けることができない。
　したがって、本願は拒絶をすべきものである。　　
　よって、結論のとおり審決する。